(57)【要約】  通信チャネル上を通信信号が送信される時、通信チャネルは、例えば電磁的放射の形で、望ましくなくエネルギーを放射し得る。通信チャネル上の送信の前と後に信号を処理することで、放射エネルギーのレベルを削減できる。通信チャネル上での送信の前の信号処理は、通信信号を、通信チャネル上での送信の間に放射エネルギーを放出する低減された性向を持つ波形に変換できる。例示的な信号変換は、周波数選択的またはブロードバンド減衰を通信信号に施すことを含むことができる。通信チャネル上での波形の送信に続いて、信号変換を戻すことによって元の通信信号を復元できる。逆変換は、周波数選択的ゲインまたはブロードバンドゲインを送信された波形に施すことからなることができる。
2009535916.tif 000002
【特許請求の範囲】
【請求項１】
通信チャネルの第一端から通信チャネルの第二端への信号の送信に伴う電磁的放出を削減する方法であって、
通信チャネルの第一端において、信号の成分を減衰するステップと、
通信チャネルの第二端において、信号の減衰された成分を復元するステップと、
からなる方法。
【請求項２】
第一端から第二端に減衰された成分を持った信号を送信するステップから更になり、
減衰された成分を復元するステップは、送信された信号を通信チャネルの第二端において処理することからなる、請求項１の方法。
【請求項３】
信号の成分を減衰するステップは、信号にブロードバンド減衰を施すことからなる、請求項１の方法。
【請求項４】
信号は信号スペクトルを有し、
信号の成分を減衰するステップは、信号スペクトルの全範囲を減衰することからなる、請求項１の方法。
【請求項５】
信号は信号周波数からなり、
減衰するステップは、本質的に全ての信号周波数を減衰することからなる、請求項１の方法。
【請求項６】
信号は信号周波数からなり、
減衰するステップは、信号周波数に渡って本質的に均一な減衰を施すことからなる、請求項１の方法。
【請求項７】
信号の減衰された成分を復元するステップは、通信チャネル上での送信に続いて信号にブロードバンドゲインを施すことからなる、請求項１の方法。
【請求項８】
信号の減衰された成分を復元するステップは、通信チャネル上での送信に続いて信号に限定的増幅を施すことからなる、請求項１の方法。
【請求項９】
信号の減衰された成分を復元するステップは、周波数閾値より低い周波数を持った信号成分を通過させ、周波数閾値より高い周波数を持った信号成分を減衰することからなる、請求項１の方法。
【請求項１０】
信号の成分を減衰することは、信号をローパスフィルタで処理することからなる、請求項１の方法。
【請求項１１】
信号の成分を減衰することは、有意なレベルのシンボル間干渉を提示する第二の信号を生成することからなり、
方法は更に、通信チャネル上で第二の信号を送信するステップからなり、
復元するステップは、送信された第二の信号を処理することからなる、請求項１の方法。
【請求項１２】
減衰するステップは、信号をローパスフィルタで処理することからなり、
復元するステップは、ローパスフィルタによって誘発された信号歪曲に、ハイパスフィルタまたは等化器による通信チャネルの第二端における信号の処理を通して対抗することからなる、請求項１の方法。
【請求項１３】
減衰するステップは、周波数閾値より高い周波数を持った信号成分を減衰し周波数閾値より低い周波数を持った信号成分を通過させることに応じて、有意なレベルのシンボル間干渉を有する第二の信号を生成することからなり、
方法は更に、通信チャネル上で第二端に第二の信号を送信するステップからなり、
復元するステップは、閾値周波数より高い減衰された信号周波数を増幅するのに応じて、シンボル間干渉を削減することからなる、請求項１の方法。
【請求項１４】
通信チャネルは、銅ケーブルからなる、請求項１の方法。
【請求項１５】
通信チャネルは、印刷回路基板上の導電トレースからなる、請求項１の方法。
【請求項１６】
通信チャネルは，第一端と第二端の間に伸びた複数の通信ラインからなり、
減衰するステップは、第一端において通信ラインの各々についてのそれぞれの信号の成分を減衰することからなり、
復元するステップは、第二端において通信ラインの各々についてのそれぞれの信号の減衰された成分を復元することからなる、請求項１の方法。
【請求項１７】
放射性放出の削減を提供するように通信チャネルを向上する方法であって、
通信チャネルの第一端に送信機を配し、通信チャネルの第二端に受信機を配するステップと、
送信機の出力と通信チャネルの第一端の間に信号減衰器を結合するステップと。
通信チャネルの第二端と受信機の間に信号増幅器を結合するステップと、
からなる方法。
【請求項１８】
送信機が通信信号を信号減衰器に供給するステップと、
信号減衰器が閾値周波数より高い通信信号の周波数を減衰し、閾値周波数より低い通信信号の周波数を通過させるステップと、
通信チャネルの第一端に、減衰された周波数と通過された周波数を結合するステップと、
通信チャネルが減衰された周波数と通過された周波数を信号増幅器まで搬送するステップと、
信号増幅器が減衰された周波数を増幅するステップと、
受信機が増幅された周波数と通過された周波数を受信したのを受けて、通信信号を復号するステップと、
から更になる請求項１７の方法。
【請求項１９】
通信チャネルは、開いたコンダクターからなる、請求項１７の方法。
【請求項２０】
通信チャネル上の通信帯域の増加されたレベルをサポートするステップから更になり、
通信チャネルは向上の前と後で本質的に一定に留まる物理的状態を有する、
請求項１７の方法。
【請求項２１】
通信チャネルは、向上の前に第一の物理的状態を有し、向上の後に第二の物理的状態を有し、
第一の物理的状態と第二の物理的状態は、お互いに対して本質的に均一である、請求項１７の方法。
【請求項２２】
通信チャネルは、向上の前と後で本質的に同じ遮蔽構成を有する、請求項１７の方法。
【請求項２３】
第一のアイダイアグラムを有する第一の通信信号を提供するステップと、
第一の通信信号の選択された周波数が減衰されるのに応じて、第二のアイダイアグラムを有する第二の通信信号を提供するステップと、
第二の通信信号を、信号経路の第一端から信号経路の第二端に送信するステップと、
送信された第二の通信信号の選択された周波数が増幅されるのに応じて、第三のアイダイアグラムを有する第三の通信信号を提供するステップと、
からなる通信方法。
【請求項２４】
第一のアイダイアグラムは第二のアイダイアグラムよりもより開らかれており、第三のアイダイアグラムは第二のアイダイアグラムよりもより開らかれている、請求項２３の通信方法。
【請求項２５】
第二のアイダイアグラムは、第一と第二のアイダイアグラムに比較して劣化されている、請求項２３の通信方法。
【請求項２６】
第一と第三のアイダイアグラムはシンボル間干渉の受け入れ可能なレベルを示し、第二のアイダイアグラムはシンボル間干渉の実質的なレベルを示す、請求項２３の通信方法。
【請求項２７】
第一、     第二、第三の通信信号は同様のデータを搬送し、
送信された第二の通信信号の選択された周波数を増幅することは、信号経路の第二端において選択された周波数にゲインを施すことからなる、請求項２３の通信方法。
【請求項２８】
送信機の出力と伝送ラインの第一端の間を結合する第一の信号プロセッサと、
伝送ラインの第二端と受信機を結合する第二の信号プロセッサと、からなる通信システムであって、
第一の信号プロセッサは、
送信機からの第一の信号を受信し、
第一の信号の周波数の減衰に応じて、伝送ライン上での送信のために、第二の信号を生成するように機能し、
第二の信号プロセッサは、
伝送ラインからの第二の信号を受信し、
減衰された周波数に増幅に応じて、受信機による受信のために、第一の信号を再生するように機能する、通信システム。
【請求項２９】
第一の信号プロセッサはローパスフィルタからなり、第二の信号プロセッサは等化器からなる、請求項２８の通信システム。
【請求項３０】
第一の信号プロセッサは周波数選択的フィルタからなり、第二の信号プロセッサは限定的増幅器またはハイパスフィルタからなる、請求項２８の通信システム。
【請求項３１】
第一の信号プロセッサと第二の信号プロセッサの各々は集積回路からなる、請求項２８の通信システム。
【請求項３２】
第一の信号を再生する機能性は、第一の信号の類似物を作成する機能性からなる、請求項２８の通信システム。
【請求項３３】
第一の信号は情報ペイロードを搬送し、
第一の信号を再生することは、受け入れ可能な信号一体性を持った情報ペイロードを搬送する第三の信号を生成することからなる、請求項２８の通信システム。
【請求項３４】
通信経路上の送信に伴って電磁的放射を放出する性向のあるデジタル信号を提供するステップと、
デジタル信号を変換することに応じて、電磁的放射を放出する性向を低減するステップと、
通信経路上の変換されたデジタル信号の送信に続いて、変換を戻すのに応じて、本質的にデジタル信号を復元するステップと
からなる通信方法。
【請求項３５】
デジタル信号を変換することは、デジタル信号の選択された周波数成分を抑制することからなり、変換を戻すことは選択された周波数成分を増幅することからなる、請求項３４の通信方法。
【請求項３６】
変換されたデジタル信号は、デジタル信号および復元されたデジタル信号に対してシンボル間干渉の劣化したレベルを提示する、請求項３４の通信方法。
【請求項３７】
変換されたデジタル信号は、デジタル信号および復元されたデジタル信号に対して劣化したアイダイアグラムを提示する、請求項３４の通信方法。
【請求項３８】
情報を伝え、通信チャネル上での送信の間に放射を放出する性向がある第一の信号を受信するステップと、
通信チャネル上で情報を伝える準備として、第一の信号を、通信チャネル上での送信の間に放射を放出する低減された性向がある第二の信号に変換するステップと、
からなる信号処理方法。
【請求項３９】
第一の信号を変換することは、信号変換を施すことからなり、
方法は更に、通信チャネル上での第二の信号の送信に続いて信号変換を戻すことをサポートするように信号変換を同定するステップからなる、請求項３８の信号処理方法。
【請求項４０】
変換するステップは、信号変換パラメータを施すことからなり、
方法は更に、通信チャネル上での第二の信号の送信に続いて第二の信号を第一の信号のファクシミリに変換するのを容易にするように信号変換パラメータを書き留めるステップからなる、請求項３８の信号処理方法。
【請求項４１】
第一の信号は、情報が符号化されたデジタル信号からなる、請求項３８の信号処理方法。
【請求項４２】
第一の信号を第二の信号に変換することは、デジタル信号の立ち上がり時間を削減することからなる、請求項３８の信号処理方法。
【請求項４３】
第一の信号は、第一の離散的信号レベルと第二の離散的信号レベルからなり、
第一の信号を第二の信号に変換することは、第一の離散的信号レベルと第二の離散的信号レベルの間の遷移を円滑にすることからなる、請求項３８の信号処理方法。
【請求項４４】
通信チャネル上での通信信号の送信の間に通信チャネルから電磁的放射の放出を起こす傾向のある通信信号を信号源から受信し、
受信した通信信号の選択された周波数範囲を減衰するのに応じて、傾向を低減し、
減衰された通信信号を通信チャネル上での送信のために出力する、
ように機能することからなる、信号処理システム。
【請求項４５】
選択された周波数範囲は、本質的に通信信号の全周波数に渡る、請求項４４の信号処理システム。
【請求項４６】
通信信号は、選択された周波数範囲とその他の周波数範囲からなる、請求項４４の信号処理システム。
【請求項４７】
通信信号は、選択された周波数範囲とその他の周波数範囲からなり、
信号処理システムは更に、その他の周波数範囲を通過させるように機能することからなる、請求項４４の信号処理システム。
【請求項４８】
通信信号は、選択された周波数範囲と選択された周波数範囲の下にあるその他の周波数範囲からなり、
信号処理システムは更に、その他の周波数範囲を通過させるように機能する、請求項４４の信号処理システム。
【請求項４９】
出力通信信号を処理し、
減衰された選択された周波数範囲を増幅する、
ように機能することから更になる、請求項４４の信号処理システム。
【請求項５０】
通信チャネルは、出力通信信号を受信する第一端と、第二端からなり、
信号処理システムは更に、第二端において減衰された周波数範囲を増幅するように機能することからなる、請求項４４の信号処理システム。
【請求項５１】
通信チャネルは、第一端と第二端からなり、
通信チャネル上での送信のために減衰された通信信号を出力することは、減衰された通信信号を第一端に供給することからなり、
信号処理システムは更に、第一端に到着する第二の通信信号を受信し、受信した第二の通信信号の少なくとも一つの減衰された周波数を復元するように機能する、請求項４４の信号処理システム。
【請求項５２】
第一の信号成分と第二の信号成分からなる通信信号の放射性放出プロファイルを削減する方法であって、
第一の信号成分が放射性放出プロファイルに第二の信号成分よりも貢献していることを決定するステップと、
信号経路に沿って通信信号を送信するための準備として通信信号から第一の信号成分を除去するステップと、
からなる方法。
【請求項５３】
第一の信号成分が除去された通信信号を、第一の信号成分を挿入するように機能する信号プロセッサに向けて信号経路に沿って送信するステップから更になる、請求項５２の方法。
【請求項５４】
信号経路は、第一端と第二端からなり、
方法は更に、
除去するステップに応じて、除去された第一の信号成分を復元するように機能し、信号経路の第二端に配置された集積回路に向けて、信号経路の第一端上に通信信号を供給するステップからなる、請求項５２の方法。
【請求項５５】
除去するステップは、信号復号を容易にするために送信に続いて通信信号に第一の信号成分が追加されるであろうことを期待して、信号経路上での通信信号の送信のための準備として通信信号から第一の信号成分を除去することからなる、請求項５２の方法。
【請求項５６】
通信信号から第一の信号成分を除去することは、通信信号に第一の信号成分の少なくともある残留量を保持することからなる、請求項５２の方法。
【請求項５７】
通信チャネル上での送信中に放射性放出を削減するように変換を施された通信信号を受信するステップと、
変換を戻すように受信した通信信号を処理するステップと、
からなる信号処理方法。
【請求項５８】
変換は、通信信号の選択された成分の減衰からなり、
受信した通信信号を処理することは、選択された成分を増幅することからなる、請求項５７の信号処理方法。
【請求項５９】
変換は、通信信号の選択された周波数帯域の減衰からなり、
受信した通信信号を処理することは、選択された周波数帯域を増幅することからなる、請求項５７の信号処理方法。
【請求項６０】
通信チャネル上で通信信号を送信する前に信号成分が減衰された通信信号を受信するステップと、
減衰された信号成分を増幅するステップと、
からなる通信方法。
【請求項６１】
減衰された信号成分を増幅することは、受信した通信信号を処理することからなる、請求項６０の通信方法。
【請求項６２】
信号成分は、通信チャネル上での送信中の放射性放出を増加し、通信信号から情報を抽出することを促進するように機能する、請求項６０の通信方法。
【請求項６３】
信号成分を減衰することは、通信チャネル上で通信信号を送信することに関連する放射性性放出を削減することからなり、
減衰された信号成分を増幅することは、通信信号への検出器の感度を高めることからなる、請求項６０の通信方法。
【請求項６４】
集積回路からなる通信システムであって、
集積回路は、通信チャネル上での通信信号の送信に前に減衰されていた通信信号の成分を増幅するように機能し、
通信信号の成分は、通信チャネル上での送信に関連した放射性放出を誘発するように機能する、通信システム。
【請求項６５】
通信信号の成分は更に、通信信号から情報を抽出することを促進するように機能する、請求項６４の通信システム。
【請求項６６】
通信信号の成分は更に、通信信号のデジタル状態間を区別するように機能する、請求項６４の通信システム。
【請求項６７】
通信信号の成分は更に、通信信号の離散的信号レベル間を区別するように機能する、請求項６４の通信システム。
【発明の詳細な説明】
【技術分野】
【０００１】
［関連出願へのクロスリファレンス］この出願は、「通信チャネルからの放射性放出を削減する方法とシステム」と題され、２００６年４月２６に出願された、米国仮特許出願番号６０／７９５，１３６の優先権の恩恵を主張し、その全内容はここで引用によってここに組み込まれるものである。
【０００２】
本発明は通信の分野に関し、より詳しくは、チャネル上での送信の前と後に信号を処理することによって、信号コンダクターのような通信チャネル上で送信されている信号からの放射性放出を削減することに関する。
【背景技術】
【０００３】
近代的通信は、典型的には通信チャネルまたは信号経路に渡り、その上で、それを通して一つの点から他の点に信号を送信することを含む。信号は符号化されているかデータ（またはアナログ情報）が記されているので、信号の送信は２点間でデータまたは情報を搬送する。
【０００４】
通信チャネルは、ワイヤ、ケーブル、絶縁体または誘電性材料に埋め込まれたかまたは取り付けられた銅や何かの金属の導電媒体、伝送ライン、印刷回路基板またはセラミック基板上のトレース、信号経路、等からなることができる。通信チャネルは、いくつかの可能性を挙げると、単一の囲みまたはハウジング内の、共通基盤上の、お互いに部屋を跨いで配置された、バックプレーン上に存在し得る、またはお互いに対して遠隔の、２点間でデジタルまたはアナログ情報を搬送しても良い。例えば、通信チャネルは、メモリーインターフェース、ビデオまたはディスプレイインターフェース、または何らかの他の通信またはコンピューティングのコンテクストのような応用においては、シリアルまたはパラレルデータバスからなることができる。
【０００５】
多くの従来の通信チャネルは、その上を送信される信号エネルギーの一部を望ましくなく放射する。信号が通信チャネルに沿って流れるにつれて、いくらかの信号エネルギーは、典型的には信号伝播の意図された方向を横切るかそれから区別されて、チャネルから逃げるかまたは漏れ出し得る。
【０００６】
この現象は特に高周波数成分を持つ信号に関連がある。例えば、デジタル信号はしばしば、例えば「デジタルの１」と「デジタルの０」のようなデジタル状態間の遷移に付随する高周波数からなる。高周波数信号成分は、信号が搬送する情報を読み取ったり復号したりするのに検出器システムがデジタル状態間を判別することを助ける、鋭い（または短い）「立ち上がり時間」を提供する。通信信号の周波数内容が増加するにつれて、チャネルから放出される付随した電磁的（“ＥＭ”）放射のパワーまたは強度もまた増加する。
【０００７】
通信設備とサービスが発展してより洗練されるにつれて、通信チャネルは増加された帯域幅を提供するかまたはより多くのデータを搬送することが求められる。拡張された帯域幅を達成するのに通信速度を増加することは、典型的にはより高い信号周波数を送信することを含む。上述したように、これらのより高い周波数は、通信チャネルが望ましくなく放射を放出することを引き起こし易い。従って、典型的にはより高速のレートでデータを通信するためかまたはより鋭い立ち上がり時間を提供するために、通信信号の帯域幅が増加されるにつれて、ＥＭ放射の量は増加する。例えば、１０ギガビット毎秒（Ｇｂｐｓ）の桁のあるいはそれより高いレートでデータを送信する従来の通信チャネルは、有害なレベルのＥＭ放射を放出する。
【０００８】
増加された放射は、多数の理由で問題となることができる。第一に、放射は同じ装置内のまたはそのいくらか近傍で作動している他の電気チャネルや回路によってノイズとして受信されることができる。このノイズは、デジタルシステムにデータエラーを引き起こすか、あるいはアナログオーディオまたはビデオ装置のオーディオまたはビデオ信号品質に目立った劣化を起こすほど十分に激しくなることができる。
【０００９】
第二の問題として、第一の装置の通信チャネルから放出された放射は、近隣の第二の装置によってノイズとして受信されるほど十分に激しくなることができる。アンテナはＥＭ放射の一形態である電波信号を拾うように設計されるので、アンテナを持った装置は特に敏感である。そのように衝撃を受ける例示的な第二の装置には、携帯電話、グローバルポジショニングセンサー（“ＧＰＳ”）受信機、テレビ、アンテナを通してオーバーザエアー信号を受信するラジオ、（ＩＥＥＥ８０２．１１標準に基づいたような）無ラインネットワーク通信装置を含む。そのような応用では、第一の装置から放出されたＥＭ放射は、劣化した信号または、より激しい場合には信号の損失を第二の装置に引き起こすことができる。
【００１０】
放射性放出に付随する第三の問題は、通信規制の遵守に関する。一つの通信装置が他の装置の動作に干渉することを防ぐことを助けるように、連邦通信委員会（“ＦＣＣ”）のような政府機関はしばしば、装置が放出することを許容されるＥＭパワーに制限を課す。製品設計意図を達成しつつＦＣＣ規制を遵守することを確かにすることは、従来技術に依存した設計にとってはしばしば挑戦的である。しかも、通信チャネルからＥＭパワーが放射されることを許容することは、政府が課した制限に違反する危険を招く。
【００１１】
チャネルから放出されるＥＭ放射を制限するための一つの従来技術は、放出された放射を遮断する導電材料でチャネルを取り囲むかその中に収納することによってチャネルを物理的に遮蔽することを含む。そのような従来のシールドの一つの不利点は、収納と付随する材料が占める物理的スペースである。例えば、手持ちの応用に伴うように、増加的にコンパクトな通信システムに向けた傾向にあって、そのような従来の遮蔽技術の占有スペースは、重大な不利点を呈示できる。
【００１２】
もう一つの放射性放出に対処する従来のアプローチは、差動シグナリングを含む。差動シグナリングでは、（単一のコンダクターと付随するグラウンドだけではなく）コンダクターのペアが典型的には電気信号を搬送する。コンダクターのペアは、意図された信号とその否定形（または反対形または相補形）バージョンの両方を搬送することによって単一の信号を通信する。ペアになったコンダクターの各々は、その同伴コンダクターと反対の（またはそれに対して位相が外れた）放射を放出する。従って、放出された放射波はお互いに打ち消す傾向があるので、ペアが放出する総放射は比較的低い。ＥＭ放射を低減するには頻繁に効果的ではあるが、差動シグナリングは一般に通信システム中のコンダクター（および付随する電気的コンタクト）の数を倍増する。結果として起きる部品、コスト、複雑性の増加はしばしば望ましくない。しかも、高速信号を含んだ多くの情況では、差動シグナリングは、妥当であるよりも少ないレベルの放射抑制を提供する。
【００１３】
当技術のこれらの代表的欠陥に対処するのに必要とされるのは、通信チャネルまたは信号経路から放射性放出を削減する能力である。更なる必要は、通信チャネル上での送信中に問題のある放射を放出することを回避する信号波形を提供するように通信信号を適応するか成形する能力にある。更に別の必要は、通信チャネル上での送信に続いて適応されたかまたは成形された通信信号をそれらの元の状態に変換して戻すことができ、それにより強健なまたは低エラーレートの検出を容易にする技術にある。もう一つの必要は、出力端において信号の受信、検出、復号、または解釈に悪い衝撃を与えることなく、放射性放出を削減するように通信チャネルの入力と出力端において信号を処理することができるシステムおよび／または方法にある。これらの必要（またはいくつかの当技術の関連した欠陥）のより多くに対処することは、より高いデータレート、より強健な通信、より小さいまたはよりコスト効率の良い通信またはコンピューティング機器、より少ない干渉、および／または通信およびコンピューティング技術における全般的な進展を容易にするであろう。
【発明の開示】
【００１４】
本発明は、チャネル上で通信信号を送信することに伴って通信チャネルが放出する放射性放出の量を削減することをサポートする。いくつかの潜在的な利点を述べると、放射性放出を削減することは、高められた帯域幅またはデータ搬送能力、より高い通信速度、より少ない干渉、および／またはより強健な動作を容易にすることができる。
【００１５】
本発明の一側面では、通信信号が通信チャネルに渡り、その上で、それを通して、またはその中を送信されるときに、通信チャネルは求められていないエネルギーを、電磁的放射の形で放射する性向を有しても良い。他の可能性の中でも、通信チャネルは信号経路を提供する媒体またはコンダクターであることができる。例えば、通信チャネルは、回路基板、バックプレーン、ワイヤ、ケーブル、コンピューティングデバイス、または通信システム（包括的なリストではない）の一つ以上の信号ラインからなることができ、ここで各信号ラインは一つ以上の信号を搬送する。通信チャネル上で信号を送信する前と後に施される信号を処理することは、通信チャネルから放射されるエネルギーのレベルを削減することができる。通信チャネル上での送信の前の信号処理は、通信信号を変換すること、変形すること、成形すること、適応すること、改変すること、または歪曲することで変化させられた信号を提供することからなることができる。他の可能性の中でも、そのような信号処理は、減衰すること、抑制すること、または通信信号の一つ以上（または本質的に全て）の周波数からエネルギーを除去することからなることができる。変化させられた信号は、通信チャネル上での伝播中に放射された電磁的エネルギーを生成する低減された性向を持つことができる。通信チャネル上での変化させられた信号の送信に続いて、変化させられた信号は、通信信号を、例えばその元の状態またはその何らかの派生形に復元するようなやり方で、処理されることができる。通信チャネル上での送信に続いて起こる信号処理は、変化させられた信号の一つ以上（または本質的に全て）の周波数を増幅することまたはそれらにエネルギーを加えること、またはそうでなければ通信チャネルの入力端で実装された信号変換を逆にすることからなることができる。
【００１６】
従って、デジタルまたはアナログ信号は通信経路の入力端で処理されて、処理された信号が通信経路の入力端から通信経路の出力端までの伝播中に削減されたレベルの放射性放出を放出するようにすることができる。通信経路の出力端で、信号処理の第二の印加は、通信経路の入力端で実装された信号処理の前に存在していたデジタルまたはアナログ信号を（全体的または部分的に）再作成または再生することができる。
【００１７】
この概要において呈示された放射性放出の削減の議論は、説明的な目的だけのものである。本発明の様々な側面は、開示された実施形態の以下の詳細な記載の検討と以下に続く図面と請求項を参照することからより明確に理解され評価され得る。しかも、本発明の他の側面、システム、方法、特徴、利点、目的は、以下の図面と詳細な記載の精査によって当業者には明らかになる。全てのそのような側面、システム、方法、特徴、利点、目的は、この記載内に含まれ、本発明の範囲内であり、添付されている請求項によって保護されるものであることが意図されている。
【００１８】
発明の多くの側面は上記の図面を参照することによってより良く理解できる。図面に示された部材や特徴は、実物大ではなく、代わりに本発明の例示的実施形態の原理を明確に説明することに強調が置かれている。しかも、ある寸法的な側面は、そのような原理を視覚的に伝えることを助けるように誇張され得る。図面において、参照符号は、同様または対応する、しかし必ずしも同一ではない部材を、いくつかの図を通して示す。
【発明を実施するための最良の形態】
【００１９】
本発明は、通信エラーを回避しつつ通信システムの一つ以上の通信経路またはチャネル上の放射性放出を管理すること、制御すること、削減すること、または対処することをサポートする。本発明の例示的実施形態は、一方において低放出信号送信を、他方において低エラー信号検出を促進するように通信経路の各端において信号を処理する。そのような実施形態は、コンダクターを金属製シールドで覆うことの代替として（または補足として）放射性放出を削減するように信号処理および／またはエレクトロニクスを使う「仮想シールド」を提供するものと見ることができる。
【００２０】
チャネルの入力端において置かれた装置は、チャネル中の信号送信を促進するようにチャネルの中に流れる信号を処理できる。より詳しくは、その入力装置は、信号がチャネル中を伝播する間にチャネルからエネルギーを放射するまたは漏れることを回避する波形を提供するように信号を成形または変換することができる。チャネルの反対または出力端における装置は、受信のための出力信号を用意する相補的な信号処理を提供することができる。出力装置は、チャネルの入力端で起こった信号成形を逆にするかまたは元通りにし、それにより信号をその元の形状または品質に復元することができる。
【００２１】
通信信号は、検出器における信号からのデータまたは情報の抽出を容易にすることによって帯域幅をサポートする、鋭い立ち上がり時間のような特徴を有することができる。しかし、検出および復号の観点から有益な信号特徴は、送信の観点からは有害であることができる。通信経路に沿った送信中に、これらの信号特徴は、通信経路からエネルギーが望ましくなく発散することを引き起こすことができる。低放出送信を達成するのに、一つの信号処理装置は、通信経路を通して信号を送信することの準備として信号特徴を除去することができる。信号が通信経路を通して送信された後、信号検出の準備として、もう一つの信号処理装置は、信号に信号特徴を加えて戻すことができる。
【００２２】
つまり、通信経路の入力端における装置は、通信経路中の信号の送信を改良するように信号を適応することができる。信号適応は、通信経路から放射が発散することを誘発する信号特徴を除去することからなることができる。特徴の不在は信号を解釈する受信機の能力を損なうことになるので、通信経路の反対端における相補的装置は、除去された信号特徴を信号受信の前に復元することができる。
【００２３】
通信チャネルからの信号エネルギーの求められていない放射を回避するための方法と装置を、ここで本発明の代表的な実施形態を説明した図１−７を参照して以降でより完全に記載する。図１−３は、各々が一方向信号送信経路と経路に／から流れる信号を処理する能力からなる通信システムを描いている。信号処理は、所望の帯域幅を維持しつつ望ましくない放射性放出を削減する。図４は、信号忠実性を妥協することなく放射性放出を削減する通信システムの代表的な動作を説明した、ソフトウェア生成された「スクリーンショット」の形の、シミュレーション信号分析結果を呈示する。図５、６は、放射性放出を抑制しつつ、かつ受信機実効性を維持しつつ、多数または双方向信号を搬送するための通信チャネルからなる通信システムを描いている。
【００２４】
発明は、多くの異なる形で実施することができ、ここで説明する実施形態に限定されるとは理解されるべきではない。むしろ、この開示が行届いていて完全であり、当業者に発明の範囲を十分に伝えるように、これらの実施形態は提供されている。しかも、ここで与えられる全ての「例」または「例示的実施形態」は、非限定的で本発明の表現によってサポートされる他のものの中にあることが意図されている。
【００２５】
ここで図１を見ると、この図は本発明の一実施形態に従った例示的通信システム１００の機能的ブロック図を描いている。システム１００は、送信機１１０から受信機１４０へ信号を搬送する通信チャネル１５０からなる。通信チャネル１５０は、例えば、コンダクター、導電性ストリップ、信号経路、導波管、バス、伝送ライン、バックプレーンライン、ワイヤ、回路基板上のトレース、または送信機１１０から受信機１４０へ信号、データまたは情報を伝える何らかの他の手段、からなることができる。通信チャネル１５０に沿ってまたはその中を伝播する信号は、いくつかの例を挙げると、電気的エネルギー、電気、電磁的放射またはエネルギー、無ライン周波数信号、マイクロ波エネルギー、電圧、電流、電気、または光、からなることができる。
【００２６】
一例示的実施形態では、単一のワイヤまたはコンダクターが、各々デジタルまたはアナログ情報を通信している２つ以上の通信チャネル１５０のための通信媒体を提供することができる。代替的に、多数の通信チャネル１５０の各々が専用の通信媒体を持つことができる。例えば、回路基板は回路トレースの形で多数のコンダクターを有し、各トレースが専用の通信チャネル１５０を提供することができる。
【００２７】
２つの集積回路（“ＩＣｓ”）１２０、１３０は、その中（またはその上）を信号が流れることの結果として通信チャネル１５０が放出する放射エネルギーの量を削減するように信号を処理する。ＩＣｓ１２０、１３０の各々は、例えば、マルチチップモジュール（“ＭＣＭ”）、シリコンや燐化インジウムのような半導体材料からなるモノリシックシステム、ハイブリッド、またはそこに取り付けられているかまたは一体化されているトランジスターを有する半導体基板、からなることができる。ＩＣｓ１２０、１３０は、例えば、アナログ部品、デジタル部品、デジタルロジック、マイクロコントローラ、デジタル信号処理（“ＤＳＰ”）能力、またはアナログ信号処理能力、またはその何らかの組み合わせ、からなることができる。いくつかの例示的実施形態では、システム１００は、ＩＣｓ１２０、１３０の各々のための回路基板、あるいは信号処理部品のシステムまたはネットワークからなることができる。従って、例示的システム１００は、通信チャネル１５０の各端に一つずつの２つの信号処理装置または手段１２０、１３０からなり、これらの装置１２０、１３０は（描かれているように）ＩＣｓまたは他の信号処理システムであることができる。
【００２８】
例示的実施形態では、チャネル１５０の送信端におけるＩＣ１２０は、通信チャネル１５０の中に（または上に）流れる送信された信号の高周波数エネルギーを削減する。高周波数内容を削減することは、チャネル１５０によって放出された放射の量またはレベルの比例的な削減を提供する。
【００２９】
チャネル１５０から放出された望ましくない放射の量を望ましく削減する一方、高周波数内容の大規模な削減は、信号受信、検出、および／または復号に望ましくない衝撃を持つことができる。より詳しくは、受信機１４０は、（高周波数成分が抑制されたかまたは除去された）結果として得られる信号を信頼性を持って検出するのに苦闘するかも知れない。この情況に対処して克服するのに、ＩＣ１３０は、ＩＣ１２０によって導入された歪曲に対抗するか、それを元に戻す、または逆にする。即ち、ＩＣ１３０は、ＩＣ１２０が除去した高周波数内容を再挿入する。
【００３０】
つまり、ＩＣ１２０は、ＥＭ放射の削減された放出を持った送信を容易にするように送信機１１０からの信号を変換する。通信チャネル１５０上の送信に続いて、ＩＣ１３０は、受信機１４０による強健なまたはエラーフリーの検出を容易にするように（典型的にはいくらかの合理的な許容限度内で）信号をその元の形に変換して戻す。よって、ＩＣ１３０の出力は、削減されたＥＭ放出でもってチャネル１５０上で情報を搬送した高忠実性の信号である。一例示的実施形態では、その出力はデジタル信号である。代替的に、出力はアナログ信号であることができる。
【００３１】
ＩＣ１２０によって導入された歪曲または信号処理変換は知られているので、ＩＣ１３０は歪曲または変換に対抗するかまたはそれを元に戻すように設計される。例示的実施形態では、ＩＣ１２０は信号のある高周波成分を抑制または減衰し、ＩＣ１３０はこれらの同じ高周波成分を増幅する。
【００３２】
より詳しくは、高周波数抑制と高周波数増幅は同じ（または同様の）割合で実装されて、受信機１４０上に投射される信号は送信機１１０が放出した信号と本質的に同じ形状（および／または周波数内容）を有する。よって、通信チャネルの各端上の変換は互いにマッチした、相反するもの、相補するものまたは逆のものと見ることができる。
【００３３】
ＩＣｓ１２０、１３０が実装する信号処理は、通信チャネル１５０を物理的に変形することなく削減されたＥＭ放射を提供することができる。よって、金属製チューブ、フィルム、またはテープのような導電性シールドの中にチャネル１５０を収容する必要なく、かつ相補的差動信号を使うことなく、達削減された放出を成することができる。しかし、いくつかの場合には、上述した信号処理は、電気的に導電性のシールドからなるかまたは差動信号で動作する通信システムに適用することができる。
【００３４】
一例示的実施形態では、描かれた通信チャネル１５０は、チャネルのコンダクターの少なくともいくらかの部分を覆う金属製シールドからなる。一例示的実施形態では、通信システム１００は上述したような差動信号で動作する。そのような実施形態では、ＩＣｓ１２０、１３０は、例えば高められたレベルの性能を提供することができる。
【００３５】
一例示的実施形態では、通信チャネル１５０は遮蔽されていないかまたは開いていて、ＩＣｓ１２０、１３０の追加はチャネル１５０（およびシステム１００全体）のデータ搬送能力を拡張する。よって、既存のシステムを、１Ｇｂｐｓ未満のデータレートで動作するものから２．５Ｇｂｐｓ、５Ｇｂｐｓ、１０Ｇｂｐｓまたは何らかの他の拡張されたデータレートで動作するものに格上げすることができる。
【００３６】
ここで図２を見ると、この図は本発明の一実施形態に従った例示的通信システム２００の機能的ブロック図を描いている。より詳細には、図２は、ＩＣ１２０Ａが減衰器２２０からなりＩＣ１３０Ａが増幅器２３０からなる図１のシステム１００の一例示的実施形態を描いている。
【００３７】
通信チャネル１５０の送信機端におけるＩＣ１２０Ａは、ブロードバンド損失またはブロードバンド減衰の印加を通して送信機１１０によるデータ信号出力を減衰する。即ち、減衰器２２０は、データ信号の周波数帯域に渡ってほとんど一定または均一な減衰またはスケーリングを施す。従って、ＩＣ１２０Ａは、振幅のスケーリングに拘わらず、データ信号の形状をほぼ保つ通信チャネル１５０上に信号を出力する。つまり、通信チャネル１５０上を送信される信号は、送信機１１０による信号出力に対して削減された強度を有し、強度削減は信号の周波数レンジに渡って大体均一である。
【００３８】
そのようなブロードバンド減衰は、受動的抵抗性ネットワークまたは例えば１より少ないゲインを持つ増幅器のような能動的減衰器を含む、種々の手段で果たすことができることが当業者には認識されるであろう。つまり、減衰器２２０は、一つ以上の商業的に入手可能な部品、チップ、または部材（またはＩＣ基板に一体化された特徴）であることができる。文章と付帯された図面を含んだ本開示の恩恵と当業者のスキルを有するものは、その開示とスキルに基づいて減衰器２２０を作成、使用、実装することができるであろう。しかも、当業者は、本教示、記載、開示に基づいてここに開示された他のシステム、装置、方法、ステップ、技術を容易に作成、使用することができるであろう。従って、（文章と添付されている図面に例として既に説明されているものを越える）あらゆる追加の回路概要の製造は、本発明を作成、使用するのに必要ではないと考えられる。
【００３９】
ここで図２を参照すると、（通信チャネル１５０上での送信に続いて）受信機１４０での受信のための信号を復元するのに、ＩＣ１３０Ａはチャネル１５０からの受信信号出力を増幅する。ＩＣ１３０Ａは増幅を実装する増幅器２３０からなる。一例示的実施形態では、増幅器２３０はシンプルゲイン増幅器からなる。
【００４０】
他の例示的実施形態では、増幅器２３０は、出力がレール間で揺れる増幅器のような限定的増幅器からなる。限定的増幅器である場合には、増幅器２３０は、増幅された信号が所定の信号レベルを超えることを防ぎつつ送信された信号を増幅するかまたはそれにゲインを印加する。即ち、限定的増幅器は増幅された信号の強度を所定のレベルに限定する。限定的増幅器実施形態は、ＩＣ１３０Ａの出力上のノイズと信号リンギングを削減することを通して信号一体性の恩恵を提供することができる。
【００４１】
ここで図３を見ると、この図は本発明の一実施形態に従った例示的通信システム３００の機能的ブロック図を描いている。システム２００と比較すると、システム３００は、より高い周波数（またはより速いデータレート）における改良された信号減衰、よっていくつかの応用ではＥＭ放出の高められた抑制、を提供し得る。
【００４２】
より多くの高周波数減衰を得るのに、図３の通信システム３００は、周波数依存または周波数選択的減衰を施す。この例示的実施形態では、ＩＣ１２０Ｂは、低周波数を通過させ、高周波数を減衰または遮断するローパスフィルタ３２０からなることができる。上述した通り、減衰された高周波数は、離散またはデジタル状態の間に鋭い遷移を提供する信号の周波数成分であることができる。
【００４３】
例示的実施形態では、ローパスフィルタ３２０は、ＩＣ１２０Ｂの出力が形状を歪曲されシンボル間干渉または増加されたデータ依存ジッターを提示するのに十分低いカットオフ周波数を有する。カットオフ周波数は、その下では信号周波数が通過し、その上では信号周波数は有意に抑制される遷移周波数を表すことができる。
【００４４】
図４は、通信システム３００の例示的実施形態のコンピュータによるシミュレーションによって得られた例示的データトレース４００、４５０を描いている。より詳しくは、図４Ａ，４Ｂは、それぞれＩＣ１２０Ｂの代表的実施形態に／から来る信号を表すスクリーンショットである。更なる詳細を以下に述べるように、図４Ａ，４Ｂは、ＩＣ１２０Ｂの信号処理が、送信機１１０からの信号をどのように変換、再成形、および／または歪曲するかを描いている。
【００４５】
図４Ａは、送信機１１０が出力しＩＣ１２０が受信して処理するデジタル信号のアイダイアグラム４００である。当業者には理解されるであろうように、アイダイアグラム４００の開き具合は、信号が強健かつ安定で望ましく低いレベルのジッターを有することを示している。つまり、パターン４００は、信号が搬送する情報を明確に抽出するように、好適な検出器または受信機が信号を容易に解釈して復号すべきであることを示している。
【００４６】
図４Ｂは、図４Ａが表す信号にフィルタ３２０がローパスフィルタリングを施した結果得られるＩＣ１２０Ｂの出力のアイダイアグラム４５０である。即ち、アイダイアグラム４５０は、通信チャネル１５０上に送り出される信号の代表的な実施形態を表している。
【００４７】
図４Ｂのアイダイアグラム４５０は、図４Ａのアイダイアグラム４００と対照をなす。より詳しくは、アイダイアグラム４５０は有意に閉じられており歪曲されていて、もし信号が改良されていなかったら信号からデータを抽出するのに検出器が苦闘するかも知れないことを示唆している（これはシステム３００では、ＩＣ１３０Ｂが受信機１４０との相互作用の前に信号を処理して改良するので、そうはならない）。
【００４８】
受信機１４０においてデータ信号を復元するのに、ＩＣ１３０Ｂは、ＩＣ１２０中のローパスフィルタ３２０の効果に対抗するかまたは等化することによってシンボル間干渉またはデータ依存ジッターを除去する。詳しくは、ＩＣ１３０Ｂは、ＩＣ１２０Ｂによって導入された周波数依存減衰と釣合のとれたやり方でデータ周波数帯域中の高周波数をブーストする等化器３３０からなる。よって、ＩＣ１３０Ｂは、ＩＣ１２０Ｂが除去したかまたは抑制した周波数内容を再挿入する。
【００４９】
例示的実施形態では、ローパスフィルタ３２０と等化器３３０の合成された反応は、データ信号の周波数帯域に渡る全通過機能を提供する。つまり、ＩＣ１３０Ｂは、データ信号を送信機１１０から出力された元の信号（いくらかの誤差は許容可能）に変換して戻すことを通して、ＩＣ１２０Ｂによって導入された歪曲を除去する。従って、ＩＣ１３０Ｂの信号出力のアイダイアグラムは、上述したような図４Ａが描いているアイダイアグラム４００に全体的に類似でき得る。
【００５０】
一例示的実施形態では、ＩＣ１３０Ｂは更に、等化器３３０の出力を処理する最適限定的増幅器（図３には明示されていない）からなる。限定的増幅を施すことは、等化が導入するかも知れないノイズとリンギングを削減することができる。
【００５１】
一例示的実施形態では、ＩＣ１３０Ｂは、等化器３３０の代わりとしてハイパスフィルタからなる。更に、等化器３３０がハイパスフィルタからなっていても良い。そのようなハイパスフィルタは、閾値周波数より下の周波数を減衰し、閾値周波数より上の周波数を増幅する。ハイパスフィルタはまた、周波数選択的ゲインを提供するもので、ゲインは周波数の関数として増加するものとして見ることもできる。
【００５２】
ここで図５を見ると、この図は本発明の一実施形態に従ったマルチライン通信チャネル５５０からなる例示的通信システム５００の機能的ブロック図を描いている。通信システム５００の通信チャネル５５０は、お互いに隣接する多数のコンダクターまたはデータラインのデータバスまたはシステムからなることができる。例示的なシステム５００は、図２のシステム２００または図３のシステム３００のどちらかの拡張であり、拡張は多数の信号経路を収容するものとして見ることができる。
【００５３】
複数のデータラインからなる通信チャネル５５０と共に、送信機５１０における第一のＩＣｓ５２０の組は、各々が図２を参照して上述したような、対応する複数の減衰器を有することができる。即ち、通信チャネル５５０のコンダクターの各々は、図２に描かれていて上述したような連関する減衰器２２０と連関する増幅器２３０を有することができる。ＩＣ５２０とＩＣ５３０はそれぞれ、複数のＩＣｓ、あるいは多数の減衰または増幅を実装する一つのＩＣのどちらかからなることができる。
【００５４】
一例示的実施形態では、システム５００は、お互いに隣接して配置されたシステム２００の多数の実例からなる。一例示的実施形態では、送信機５１０は、例えば共通のハウジング、チップモジュール、パッケージ、または基板に一体化された、送信機１１０の多数の実例（またはコピー）からなる。同様に、ＩＣ５２０はＩＣ１２０Ａの多数の実例からなることができ、ＩＣ５３０はＩＣ１３０Ａの多数の実例からなることができ、受信機５４０は受信機１４０の多数の実例からなることができる。部材５１０、５２０、５３０、５４０のそのような実施形態では、多数の実例は一緒に配置されるか、共通に収容されるかパッケージングされるか、または共通の基盤上に配置されるか、であることができる。
【００５５】
多くの情況では、多数の実例は、パワーサプライ、グラウンドライン等のような回路要素を共有することができる。よって、ＩＣ５２０は、多数の減衰器２２０または多数の減衰器と同様に動作する単一の減衰システムからなることができる。同様に、ＩＣ５３０は、多数の増幅器２３０（限定的増幅器であっても良い）または多数の信号を増幅する増幅能力のどちらかからなることができる。従って、ＩＣ５２０とＩＣ５３０の各々は、それぞれのＩＣｓ１２０Ａ，１３０Ａの多数のもののようにコンパクトで効率的に動作する、組み合わされたかまたは一体化された機能性を提供することができる。
【００５６】
一例示的実施形態では、システム５００は、上述したシステム２００に基づいた実施形態と同様のやり方でシステム３００（図３参照）の多数の実例からなる。一例示的実施形態では、ＩＣ５２０は、各々が送信機５１０からの信号を処理して、マルチライン通信チャネル５５０の一ラインに供給する、多数のローパスフィルタ３２０からなることができる。しかも、ＩＣ５２０は、例えば複数の離散したローパスフィルタ３２０、ハイブリッド回路、ＭＣＭ，または多数の信号ラインをフィルタリングするように動作するモノリシック的に一体化されたシステムからなることができる。
【００５７】
同様に、ＩＣ５３０は、各々が通信チャネル５５０のそれぞれのラインからの信号を処理して、処理された信号を受信機５４０に供給する、多数の等化器３３０からなることができる。ＩＣ５３０は、ハイブリッド、モノリシックチップ、集積回路、ＭＣＭ，離散した要素のシステム、写真平版に基づく半導体処理を通してシリコン基板上に埋め込まれたか一体化されたトランジスター型デバイスのネットワーク、等の形の多数の等化器３３０からなることができる。多くの応用にとって、回路基板上に載置された離散した要素としてではなく単一基板上のまたは単一集積回路パッケージ中の多数の等化器３３０を実装することは、サイズとコストの削減を提供することができ、システム設計と試験を簡略化することができる。
【００５８】
ここで図６を見ると、この図は本発明の一実施形態に従った双方向通信チャネル６５０からなる例示的通信システム６００の機能的ブロック図を描いている。システム６００は、２つの点または位置の間で情報またはデータを送ることと受け取ることを容易にする。
【００５９】
システム６００の追加の実例またはコピーを繋げることは、幅広い種類のネットワークトポロジーを提供することができる。例えば、複数の通信システム６００は、リング、ハブアンドスポークアーキテクチャー、またはメッシュネットワークを形成するように一緒にリンクされることができる。
【００６０】
描かれた実施形態では、システム６００は、２つの図２に描かれたシステム２００または２つの図３に描かれたシステム３００からなることができる。一つのシステム２００、３００が一方向の通信を提供し、他のシステム２００，３００が反対方向の通信を提供するように、２つのシステム２００または３００は前後並び（または横並び）に配置することができる。例えば、一つのシステム３００が第一の位置から第二の位置へデータを送ることができるとともに、もう一つのシステム３００が第二の位置から第一の位置へデータを送ることができる。
【００６１】
ＩＣ６２０は、連関する（近傍の）送信機１１０から出て行く信号を処理するローパスフィルタ３２０と、遠くの送信機１１０において発せられた通信チャネル６５０から入ってくる信号を処理する等化器３３０からなることができる。同様に、ＩＣ６３０は、入ってくる信号と出て行く信号を処理するためのローパスフィルタ３２０と等化器３３０からなることができる。ＩＣｓ６２０、６３０は、例えば、モノリシック一体化、ハイブリッド一体化、ＭＣＭ，共通のセラミック基盤またはマルチレイヤ−回路基板に取り付けられた離散した部品、または伝統的集積回路からなることができる。
【００６２】
一例示的実施形態では、システム６００は、システム２００の基礎をなすアーキテクチャーに基づいている。この情況では、ＩＣ６２０とＩＣ６３０はそれぞれ、チャネル６５０へ出て行く信号を減衰する減衰器２２０とチャネル６５０から受け取る信号を増幅する増幅器２３０からなる。ＩＣ６２０とＩＣ６３０は、製造上の許容限度または仕様内で、お互いに本質的に同一であることができる。
【００６３】
（描かれたような）一例示的実施形態では、通信チャネル６５０は、各通信方向のための別個のラインからなる。これの代わりに、一つの通信媒体が両方向（例えば、前方と後方）に信号を送信できる。そのような実施形態では、いかなる特定の時間点についても通信チャネル６５０は一方向にのみアクティブに送信しているように、通信チャネル６５０は各通信方向に周期的に専用とすることができる。しかし、一実施形態では、送信中に入ってくる信号と出て行く信号が互いに交差しても良いように、通信チャネル６５０は同時に両方向に送信する。
【００６４】
本発明の一例示的実施形態では、２つのシステム５００が前後並び（または横並び）の構成で組み合わされて、双方向マルチ信号システムを生み出す。よって、図６のシステム６００は、１つのシステム５００が一方向に送信しており他のシステム５００が反対方向に送信している、２つのシステム５００からなることができる。したがって、通信チャネル６５０は、削減された放射性放出を持つ高帯域幅をサポートする双方向バスを提供する２つの通信チャネル５５０からなることができる。
【００６５】
ここで、通信チャネルの放射性放出を管理するかまたは削減するためのプロセスを説明する。ここで記載されるプロセス中のあるステップは、本発明が記載されているように機能するためには他のものの先である必要が自然にあっても良い。しかし、本発明は、もしそのような順序または系列が本発明の機能性を改変しなければ記載されたステップの順序には限定されない。即ち、本発明の範囲と精神を逸脱することなく、いくつかのステップは他のステップの前または後に、または他のステップと並行して行われても良いことが認識される。
【００６６】
ここで図７を見ると、この図は本発明の一実施形態に従った通信チャネル１５０からの放射性放出を管理するための例示的プロセス７００のフローチャートを描いている。放射性放出削減と題されたプロセス７００を、例示的に図３を参照して説明する。
【００６７】
ステップ７０５において、送信機１１０は、デジタルまたはアナログ通信信号を出力、生成、あるいはそうでなければ提供する。例示的実施形態では、送信機１００は、典型的にはその上に情報またはデータが符号化されているかまたは記されている、通信信号を作成、出力、生成、または提供するシステム、デバイス、回路、または装置であることができる。
【００６８】
ステップ７１０において、ＩＣ１２０Ｂは、送信機１１０からの通信信号を受信する。上述したように、通信信号は典型的には、所望のまたは開いたアイダイアグラムを有し、受け入れ可能なまたは望ましく低レベルのシンボル間干渉を提示する。ＩＣ１２０Ｂは、通信信号に信号処理を施して、通信チャネル１５０上で伝播される時に削減された放射性放出を提供することになり易い変換された信号を作り出す。
【００６９】
ステップ７１５において、変換された信号が通信チャネル１５０上で送信され、放射性放出は送信中は低い。例示的実施形態では、通信チャネル１５０のシールド無しかまたは開いた実施形態と共に、例えば２．５Ｇｂｐｓまたは１０Ｇｂｐｓを超える高データレートをサポートするように、放出は十分に制御されても良い。そのようなデータレートは、例えば適用可能なＦＣＣ規制に違反することなく維持することができる。
【００７０】
ステップ７２０において、ＩＣ１３０Ｂは、典型的にはエンドツーエンドで通信チャネル１５０上で通信されてきた変換された信号を処理する。処理は、上記ステップ７０５において送信機１１０が作成した通信信号（またはその元の信号の何らかのファクシミリまたは表現）を再作成または再生することからなることができる。
【００７１】
ステップ７２５において、受信機１４０は、ＩＣ１３０Ｂから再作成または再生された通信信号を受信する。受信機１４０は典型的には、再作成または再生された通信信号を復号することを通して情報またはデータを抽出する。
【００７２】
一例示的実施形態では、プロセス７００はステップ７２５に続いて終わる。それの代わりに、プロセス７００は、ステップ７０５−７２５を繰り返すようにステップ７０５にループで戻ることができる。従って、プロセス７００は維持されたかまたは進行中の動作をサポートすることができる。送信機１１０は通信信号を提供することを続けることができ、通信チャネル１５０は低減された放出を持つ通信信号を送信することを続けることができ、受信機１４０は変換されたデータまたは情報を提供するように信号を復号し続けることができる。
【００７３】
本発明の一例示的実施形態に従ったシステムは、通信チャネル上で送信されている通信信号の放射性放出を削減する、集積されているかそうでないかの回路からなることができるが、本発明はこの応用に限定されないこととここに記載された実施形態は説明的なものであって限定的なものではないことが、当業者には理解されるであろう。しかも、ここに記載された発明の例示的実施形態の様々な他の代替例が発明を実施するのに採用されても良いことは、理解されるべきである。
【００７４】
加えて、記載から、本発明の実施形態は従来技術の制限を克服することが理解されるであろう。例示的実施形態の記載から、そこに示された部材の同等物はそれら自体を当業者に示唆し、本発明の他の実施形態を構築するやり方は当業者に明らかになるであろう。従って、本発明の範囲は以下の請求項によってのみ限定されるものである。
【図面の簡単な説明】
【００７５】
【図１】図１は、本発明の一例示的実施形態に従った通信システムの機能的ブロック図である。
【図２】図２は、本発明の一例示的実施形態に従った通信システムの機能的ブロック図である。
【図３】図３は、本発明の一例示的実施形態に従った通信システムの機能的ブロック図である。
【図４】図４Ａと４Ｂ、まとめて図４は、本発明の例示的実施形態に従った通信システムのシミュレーションテストの結果を描いた信号トレースである。
【図５】図５は、本発明の例示的実施形態に従ったマルチライン通信チャネルからなる通信システムの機能的ブロック図である。
【図６】図６は、本発明の例示的実施形態に従った双方向通信チャネルからなる通信システムの機能的ブロック図である。
【図７】図７は、本発明の例示的実施形態に従った通信チャネルからの放射性放出を管理するプロセスのフローチャートである。
【図１】
2009535916.tif 000003
【図２】
2009535916.tif 000004
【図３】
2009535916.tif 000005
【図４】
2009535916.tif 000006
【図５】
2009535916.tif 000007
【図６】
2009535916.tif 000008
【図７】
2009535916.tif 000009
【国際調査報告】
2009535916.tif 000010